(57)【特許請求の範囲】
【請求項１】
暗号化された複数のファイルが記録されてなる情報記録媒体の再生方法であって、
前記情報記録媒体に記録されたアドレスに従って所定のサーバーをアクセスし、前記サーバーから前記情報記録媒体に記録された前記複数のファイルのリストを取得するリスト取得のステップと、
前記リスト取得のステップで取得したリストから、ユーザーの操作によりファイルの選択を受け付けるファイル選択のステップと、
前記ファイル選択のステップで選択されたファイルに対応する鍵データを前記サーバーから取得する鍵データ取得のステップと、
前記鍵データ取得のステップで取得した前記鍵データで前記情報記録媒体に記録された対応するファイルの暗号化を解除する暗号化解除ステップとを有する
ことを特徴とする情報記録媒体の再生方法。
【請求項２】
前記アドレスは、
前記サーバーと、前記情報記録媒体に対応するページとを特定するデータであり、
前記リスト取得のステップは、
前記アドレスにより前記情報記録媒体に対応するページをアクセスして前記リストを取得する
ことを特徴とする請求項１に記載の情報記録媒体の再生方法。
【請求項３】
前記複数のファイルが、イベントで提供されるコンテンツのファイルであり、
前記リストが、前記イベントでの前記コンテンツの提供順で作成された
ことを特徴とする請求項１に記載の情報記録媒体の再生方法。
【請求項４】
前記複数のファイルが、イベントで提供されるコンテンツのファイルであり、
前記リスト取得のステップは、
前記リストと共に前記イベントの情報を取得する
ことを特徴とする請求項１に記載の情報記録媒体の再生方法。
【請求項５】
暗号化された複数のファイルが記録されてなる情報記録媒体の再生装置であって、
前記情報記録媒体に記録されたアドレスに従って所定のサーバーをアクセスし、前記サーバーから前記情報記録媒体に記録された前記複数のファイルのリストを取得するリスト取得手段と、
前記リスト取得手段で取得したリストから、ユーザーの操作によりファイルの選択を受け付けるファイル選択手段と、
前記ファイル選択手段で選択されたファイルに対応する鍵データを前記サーバーから取得する鍵データ取得手段と、
前記鍵データ取得手段で取得した前記鍵データで前記情報記録媒体に記録された対応するファイルの暗号化を解除する暗号化解除手段とを有する
ことを特徴とする再生装置。
【請求項６】
前記アドレスは、
前記サーバーと、前記情報記録媒体に対応するページとを特定するデータであり、
前記リスト取得手段は、
前記アドレスにより前記情報記録媒体に対応するページをアクセスして前記リストを取得する
ことを特徴とする請求項５に記載の再生装置。
【請求項７】
前記複数のファイルが、イベントで提供されるコンテンツのファイルであり、
前記リストが、前記イベントでの前記コンテンツの提供順で作成された
ことを特徴とする請求項６に記載の再生装置。
【請求項８】
前記複数のファイルが、イベントで提供されるコンテンツのファイルであり、
前記リスト取得手段は、
前記リストと共に前記イベントの情報を取得する
ことを特徴とする請求項６に記載の再生装置。
【請求項９】
暗号化されて複数のファイルが記録された情報記録媒体を管理する情報記録媒体の管理方法であって、
前記情報記録媒体に記録されたアドレスに従った前記情報記録媒体の再生装置からのアクセスにより、前記情報記録媒体に記録された前記複数のファイルのリストを前記再生装置に提供するリスト提供のステップと、
前記リスト提供のステップで提供したリストによる前記情報記録媒体に記録されたファイルの選択を前記再生装置から受け付けるファイル選択のステップと、
前記ファイル選択のステップで選択されたファイルの暗号化を解除する鍵データを前記再生装置に提供する鍵データ提供のステップとを有する
ことを特徴とする情報記録媒体の管理方法。
【請求項１０】
前記アドレスは、
サーバーと、前記情報記録媒体に対応するページとを特定するデータであり、
前記リスト提供のステップは、
前記ページ毎に対応する前記リストを提供する
ことを特徴とする請求項９に記載の情報記録媒体の管理方法。
【請求項１１】
前記鍵データ提供のステップは、
前記鍵データの発行に対応して課金の処理を実行する
ことを特徴とする請求項９に記載の情報記録媒体の管理方法。
【請求項１２】
前記複数のファイルが、イベントで提供されるコンテンツのファイルであり、
前記リスト提供のステップは、
前記リストを、前記イベントでの前記コンテンツの提供順で提供する
ことを特徴とする請求項９に記載の情報記録媒体の管理方法。
【請求項１３】
前記複数のファイルが、イベントで提供されるコンテンツのファイルであり、
前記リスト提供のステップは、
前記リストと共に前記イベントの情報を提供する
ことを特徴とする請求項９に記載の情報記録媒体の管理方法。
【発明の詳細な説明】
【０００１】
【発明の属する技術分野】
本発明は、情報記録媒体の再生方法、再生装置、情報記録媒体の管理方法に関し、例えば音楽を記録した光ディスクを再生するシステムに適用することができる。本発明は、情報記録媒体に記録されたアドレスに従って所定のサーバーをアクセスし、このサーバーより鍵データを発行して情報記録媒体に記録されたデータの暗号化を解除することにより、例えばコンサート会場等で試聴して気に入った曲を改めて簡易かつ確実に試聴することができるようにする。
【０００２】
【従来の技術】
従来、音楽においては、光ディスク等のメディアを介してユーザーの利用に供されるようになされている。すなわちいわゆるアルバムにあっては、アーティスト、レコード会社等が選曲した一連の曲を光ディスクに収録して作成され、これに対してシングルディスクにあっては、例えばこのようにして作成したアルバムより所望の音楽を光ディスクに収録して作成されるようになされている。
【０００３】
これに対して近年、インターネットを介して音楽を配信してユーザーの利用に供するサービスも開始されている。
【０００４】
【発明が解決しようとする課題】
ところでユーザーにおいては、コンサート会場等で試聴した曲を改めて試聴したいと考える場合がある。この場合に、アルバムを購入してこの曲を試聴しようとすると、必要としない曲まで購入することになる。またこの種のメディアを滅多に購入しないようなユーザーにとっては、目的とする曲が収録されたアルバムを捜すだけでも大変な作業となる。
【０００５】
これに対していわゆるシングルディスクを購入してこのように気に入った曲を試聴することも考えられるが、このような曲がシングルディスクとして提供されていない場合もある。また目的とする曲が収録されたシングルディスクを捜す作業にあっては、アルバムの場合以上に大変な作業となる。
【０００６】
これに対してインターネットによる曲の配信にあっては、このような気に入った曲だけをダウンロードして楽しむことができる。しかしながらこの場合、多くのホームページより所望する曲を配信するホームページを検索し、さらにはこのホームページに係る多くの曲より所望する曲を選択することが必要になり、結局、極めて煩雑な作業を実行する必要がある。またダウンロードに時間を要する問題もある。
【０００７】
本発明は以上の点を考慮してなされたもので、例えばコンサート会場等で試聴して気に入った曲を改めて簡易かつ確実に試聴することができる情報記録媒体の再生方法、再生装置、情報記録媒体の管理方法を提案しようとするものである。
【０００８】
【課題を解決するための手段】
かかる課題を解決するため請求項１の発明においては、暗号化された複数のファイルが記録されてなる情報記録媒体の再生方法に適用して、情報記録媒体に記録されたアドレスに従って所定のサーバーをアクセスし、前記サーバーから前記情報記録媒体に記録された前記複数のファイルのリストを取得するリスト取得のステップと、前記リスト取得のステップで取得したリストから、ユーザーの操作によりファイルの選択を受け付けるファイル選択のステップと、前記ファイル選択のステップで選択されたファイルに対応する鍵データを前記サーバーから取得する鍵データ取得のステップと、前記鍵データ取得のステップで取得した前記鍵データで前記情報記録媒体に記録された対応するファイルの暗号化を解除する暗号化解除ステップとを有する。
【００１０】
また請求項５の発明においては、暗号化された複数のファイルが記録されてなる情報記録媒体を再生する再生装置に適用して、情報記録媒体に記録されたアドレスに従って所定のサーバーをアクセスし、前記サーバーから前記情報記録媒体に記録された前記複数のファイルのリストを取得するリスト取得手段、記リスト取得手段で取得したリストから、ユーザーの操作によりファイルの選択を受け付けるファイル選択手段と、前記ファイル選択手段で選択されたファイルに対応する鍵データを前記サーバーから取得する鍵データ取得手段と、前記鍵データ取得手段で取得した前記鍵データで前記情報記録媒体に記録された対応するファイルの暗号化を解除する暗号化解除手段とを有する。
【００１１】
また請求項９の発明においては、暗号化されて複数のファイルが記録された情報記録媒体を管理する情報記録媒体の管理方法に適用して、前記情報記録媒体に記録されたアドレスに従った前記情報記録媒体の再生装置からのアクセスにより、前記情報記録媒体に記録された前記複数のファイルのリストを前記再生装置に提供するリスト提供のステップと、前記リスト提供のステップで提供したリストによる前記情報記録媒体に記録されたファイルの選択を前記再生装置から受け付けるファイル選択のステップと、前記ファイル選択のステップで選択されたファイルの暗号化を解除する鍵データを前記再生装置に提供する鍵データ提供のステップとを有する。
【００１２】
請求項１の構成によれば、情報記録媒体に記録されたアドレスに従って所定のサーバーをアクセスし、このサーバーより発行される鍵データにより情報記録媒体に記録されたデータの暗号化を解除することにより、情報記録媒体に暗号化した各種データを記録して配付しておくだけで、簡易な操作により、この情報記録媒体に記録されたデータを利用可能とすることができる。従って例えばコンサート会場等で演奏する曲を暗号化して記録した光ディスク等の情報記録媒体を配付して、このコンサートで気に入った曲を改めて簡易かつ確実に試聴可能とすることができる。
【００１４】
また請求項５の構成によれば、情報記録媒体に暗号化した各種データを記録して配付しておくだけで、簡易な操作により、この情報記録媒体に記録されたデータを利用可能とすることができる。従って例えばコンサート会場等で演奏する曲を暗号化して記録した光ディスク等の情報記録媒体を配付して、このコンサートで気に入った曲を改めて簡易かつ確実に試聴可能とすることができる。
【００１５】
また請求項９の構成によれば、情報記録媒体に暗号化した各種データを記録して配付しておくだけで、簡易な操作により、この情報記録媒体に記録されたデータを利用可能とすることができる。従って例えばコンサート会場等で演奏する曲を暗号化して記録した光ディスク等の情報記録媒体を配付して、このコンサートで気に入った曲を改めて簡易かつ確実に試聴可能とすることができる。
【００１６】
【発明の実施の形態】
以下、適宜図面を参照しながら本発明の実施の形態を詳述する。
【００１７】
（１）実施の形態の構成
図１は、本発明の実施の形態に係る音楽提供システムを示すブロック図である。この音楽提供システム１においては、例えばコンサート会場で、情報記録媒体であるコンパクトディスク２にこのコンサートで演奏される曲を収録して配付し、このコンパクトディスク２に収録された曲のうち、ユーザーの所望する曲をユーザーの操作に応動して試聴可能とする。
【００１８】
ここで図２に示すように、コンパクトディスク２は、情報記録面をアプリケーションプログラム格納エリアと曲データ格納エリアとに分割し、このアプリケーションプログラム格納エリアに、所定のＵＲＬ（Uniform Resorce Locator ）、セットアッププログラム、暗号解除プログラムが記録される。ここでＵＲＬは、後述するサーバー４を特定し、さらにはデータベース６に記録された各ページよりコンパクトディスク２に関するページを特定するアドレスである。
【００１９】
セットアッププログラムは、後述する一連の処理手順の実行するアプリケーションプログラムである。セットアッププログラムは、この処理手順の実行により、ＷＷＷ（World Wide Web）ブラウザを起動して所定のサーバー４より鍵データを取得し、さらに暗号解除プログラムを動作させる。セットアッププログラムは、コンパクトディスク２がパーソナルコンピュータ３に装填されると自動的に立ち上がるように設定され、これにより簡易な操作でこのコンパクトディスク２に記録された音楽を試聴できるようになされている。
【００２０】
これに対して暗号解除プログラムは、鍵データを用いて曲データ格納エリアに記録された曲データの暗号化を解除するアプリケーションプログラムである。
【００２１】
すなわち曲データ格納エリアには、このコンパクトディスクが配付されるコンサート、このコンサートのツアーで演奏予定の曲について、曲データが記録される。ここでこの曲データは、各曲毎にオーディオデータがファイル化されて、さらに各曲毎の鍵データにより暗号化されて記録され、さらに各ファイルを特定する識別データである曲番号データが割り当てられて記録されるようになされている。
【００２２】
これによりこの図２に示す構成においては、曲ファイル１から曲ファイル１０により１０曲の曲が記録され、各ファイルがそれぞれ曲番号データ１から曲番号データ１０により特定されるようになされている。
【００２３】
音楽提供システム１において、パーソナルコンピュータ３は、コンパクトディスク２に記録されたセットアッププログラムに従って一連の処理手順を実行し、コンパクトディスク２に記録されたＵＲＬによりＷｅｂサーバー４をアクセスする。さらにこのＷｅｂサーバー４よりコンパクトディスク２に関するページを取得して表示し、さらにこのページにおけるユーザーの操作に応動してユーザーの所望する曲データの鍵データＫＹを取得する。パーソナルコンピュータ３は、この鍵データＫＹにより曲データの暗号化を解除する。さらにパーソナルコンピュータ３は、この鍵データＫＹを取得する際に、Ｗｅｂサーバー４との間のデータ通信により課金の処理を実行する。
【００２４】
Ｗｅｂサーバー４は、パーソナルコンピュータ３からの要求によりデータベース６をアクセスし、鍵データＫＹ等をパーソナルコンピュータ３に送出する。さらにＷｅｂサーバー４は、所定の電話回線を介して信販会社７のサーバーをアクセスし、パーソナルコンピュータ３に提供する鍵データＫＹについての課金の処理を実行する。
【００２５】
ここでデータベース６は、このデータベース６で管理するコンパクトディスク毎に、ディスクデータが記録されて構築される。ここで各ディスクデータは、各コンパクトディスクに記録されたＵＲＬにより特定することができるようになされている。ディスクデータは、図３に示すように、各コンパクトディスク２が配付されるコンサートの情報であるコンサートデータ、コンパクトディスク２に記録された各曲データの暗号化の解除に必要な鍵データ、対応する曲番号データ、曲名のデータが割り当てられるようになされている。
【００２６】
ここでコンサートデータは、コンパクトディスク２が配付されるコンサートについて、コンサート会場、日時、場所等を特定するデータと、各コンサート会場で演奏される曲を曲番号データとの関係で特定するデータ、各コンサートにおける演奏順序のデータ等とにより構成される。
【００２７】
ディスクデータは、これらのデータがＨＴＭＬ（Hyper Text Makeup Language）形式により記述され、これにより図４にパーソナルコンピューター３における表示画面を示すように、コンパクトディスク２に記録されたＵＲＬによりアクセスして対応するページを開くと、このコンパクトディスク２が配付されるコンサートの一覧を確認できるようになされている。さらにパーソナルコンピューター３によりこのコンサートの一覧のうちの何れかのコンサートの表示に設定されたリンクを辿ると、図５に同様の表示画面を示すように、このコンサートで演奏された曲名を演奏順に一覧できるようになされている。
【００２８】
さらにこの曲名一覧の表示においては、各曲名に「購入」のメニューが表示され、このメニューの選択により所定の課金処理のページをアクセスできるように構成される。
【００２９】
これによりＷｅｂサーバー４においては、パーソナルコンピュータ３でこの曲名一覧のページを表示して実行されるユーザーの操作に応動して課金の処理を実行し、さらに正しく課金の処理が実行された場合には、曲番号データを基準にしてこの曲名の表示に対応する鍵データＫＹをパーソナルコンピュータ３に送出するようになされている。
【００３０】
図６及び図７は、コンパクトディスク２に記録されたセットアッププログラムにより実行されるパーソナルコンピュータ３の処理手順を示すフローチャートである。パーソナルコンピュータ３は、電源が立ち上げられた後、ステップＳＰ１からステップＳＰ２に移り、ユーザーによるコンパクトディスク２の装填を待機する。ここでコンパクトディスク２が装填されると、パーソナルコンピュータ３は、ステップＳＰ３に移り、セットアッププログラムを立ち上げ、このセットアッププログラムによりステップＳＰ４に移る。
【００３１】
パーソナルコンピュータ３は、このステップＳＰ４において、パーソナルコンピュータ３にインターネットの閲覧ソフトであるＷＷＷブラウザが存在するか否か判断し、ここで否定結果が得られると、ステップＳＰ５に移ってこの処理手順を終了する。
【００３２】
これに対してＷＷＷブラウザが存在する場合、ステップＳＰ４において肯定結果が得られることにより、パーソナルコンピュータ３は、ステップＳＰ６に移り、このＷＷＷブラウザを起動する。さらにこのときパーソナルコンピュータ３は、このコンパクトディスク２に記録されたＵＲＬによりＷＷＷブラウザを起動する。
【００３３】
続いてパーソナルコンピュータ３は、ステップＳＰ７に移り、インターネットに接続可能か否か判断する。ここで例えばモデムが搭載されていない等によりインターネットに接続困難な場合、パーソナルコンピュータ３においては、ステップＳＰ７において否定結果が得られることにより、ステップＳＰ５に移ってこの処理手順を終了する。
【００３４】
これに対してインターネットに接続可能な場合、ステップＳＰ７において肯定結果が得られることにより、パーソナルコンピュータ３は、ステップＳＰ８に移り、指定したＵＲＬによるホームページをＷＷＷブラウザにより表示する。これによりパーソナルコンピュータ３は、コンパクトディスク２に記録されたアドレスに従ってサーバー４をアスセスし、さらにデータベース６をアクセスしてコンパクトディスク２に対応するページ（図４）を開くようになされている。
【００３５】
パーソナルコンピュータ３は、ＷＷＷブラウザの処理により、このページの表示において、ユーザーが何れかのコンサートを選択すると、このコンサートに設定されたリンクを辿って表示を切り換え、これにより図５について上述した曲名一覧を表示する。
【００３６】
この一覧の表示において、ユーザーが購入のメニューを選択すると、パーソナルコンピュータ３は、ステップＳＰ９に移り、このメニューに設定されたリンクを辿って課金処理のメニュー画面を表示する。ここでユーザーがユーザー名、パスワード、クレジットカードの番号等、課金の処理に必要なデータを入力した後、所定のメニューを操作すると、パーソナルコンピュータ３は、Ｗｅｂサーバー４にこれらのデータを送出する。これによりこの音楽提供システム１では、Ｗｅｂサーバー４により課金の処理が実行される。
【００３７】
このような課金の処理が正常に完了するとパーソナルコンピュータ３は、ステップＳＰ１０に移り、この課金処理した曲名に対応する鍵データＫＹをサーバー４よりダウンロードし、この鍵データＫＹを内蔵のハードディスク装置に格納する。
【００３８】
続いてパーソナルコンピュータ３は、ステップＳＰ１１に移り（図７）、暗号解除プログラムを起動し、続くステップＳＰ１２において、保存した鍵データＫＹを読み出して暗号解除プログラムに渡す。さらにこの鍵データＫＹの曲番号データを基準にして対応する曲データをコンパクトディスクより再生して暗号解除プログラムに渡す。
【００３９】
続いてパーソナルコンピュータ３は、ステップＳＰ１２において、暗号解除プログラムの実行により曲データの暗号化を解除し、その結果得られるオーディオデータをハードディスク装置に格納した後、ステップＳＰ５に戻ってこの処理手順を終了する。
【００４０】
これによりパーソナルコンピュータ３においては、所望のアプリケーションプログラムでハードディスク装置に記録されたオーディオデータを再生することが可能となる。
【００４１】
（２）実施の形態の動作
以上の構成において、音楽提供システム１では（図１）、例えば各アーティストがコンサートで演奏する予定の曲について、事前に、それぞれ各曲のオーディオデータが暗号化されて、セットアッププログラム、暗号化解除プログラム等と共に記録され、コンパクトディスク２が作成される（図２）。
【００４２】
さらにこのようにして作成したコンパクトディスク２毎に、配付するコンサート一覧（図４）のデータ、このコンサート一覧にリンクした各コンサートにおける演奏曲名一覧（図５）のデータが、コンパクトディスク２に記録された曲データの暗号化を解除する鍵データ、対応する識別データである曲番号データと共にデータベース６に記録される。さらにこのようにしてデータベース６に記録したデータによりコンサートの一覧、演奏曲名一覧を表示できるようにデータベース６が構築され、さらにこのコンサートの一覧のページをコンパクトディスク２に記録されたＵＲＬによりアクセスすることができるように設定される。
【００４３】
すなわちコンパクトディスク２においては、このデータベース６に記録された対応するコンサートの一覧のページをアクセス可能に、Ｗｅｂサーバー４を特定し、さらにはコンサートの一覧のページを特定するＵＲＬが記録されて作成される。また曲データ毎に、データベース６に記録された曲番号データに対応する曲番号データが割り当てられて記録される（図２）。
【００４４】
これらによりこの音楽提供システム１では、サーバー４をアクセスして鍵データを取得した場合にだけ、対応する曲を試聴することができるように、各コンサートで演奏される曲をコンパクトディスク２に記録し、例えばこのコンパクトディスク２をコンサートで無料で配付する。
【００４５】
これによりユーザーにおいては、例えばコンサートで気に入った曲を改めて試聴しようとする場合、この配付されたコンパクトディスク２に記録されたＵＲＬによりサーバー４をアクセスして対応する鍵データＫＹを取得するだけで、わざわざレコード店を訪れることなく、またアルバム名が判らない場合でも、目的とする気に入った曲をだけを購入して試聴することができる。これによりコンサート会場等で試聴して気に入った曲を改めて簡易かつ確実に試聴することができる。
【００４６】
このときＵＲＬをコンパクトディスク２に記録し、サーバー４だけでなく、コンパクトディスク２に係るページを閲覧することにより、例えばいちいちデータベース６を検索して所望の曲を選択する作業を簡略化することができ、その分簡易な作業により所望する曲を確実に購入することができる。
【００４７】
また各曲を単位にしたファイル毎に暗号化して対応する鍵データを設定したことにより、所望する曲だけを選択的に試聴可能とすることができる。
【００４８】
またページの設定により、コンパクトディスク２に係るコンサートの一覧を表示し、さらに各コンサートにおける演奏曲名を演奏順に表示してなる曲名一覧を表示してユーザーの選択を促すことにより、曲名が判らない場合でも、演奏の順序を基準にして所望の曲について鍵データを取得してこの気に入った曲を試聴することができる。
【００４９】
すなわち音楽提供システム１では、コンパクトディスク２をパーソナルコンピュータ３に装填すると（図６）、コンパクトディスク２に記録されたセットアッププログラムが立ち上がり、コンパクトディスク２に記録されたＵＲＬによりサーバー４をアクセスし、さらにデータベース６に記録されたコンパクトディスク２に係るコンサート一覧のページがアクセスされる。音楽提供システム１では、このページを表示し（図４）、この一覧において訪れたコンサートの表示をユーザーが選択すると、この表示に設定されたリンクを辿ってこのコンサートにおける曲名の一覧が演奏順に表示される（図５）。さらにこの表示における購入のメニューをユーザーが操作すると、この曲の購入に係る課金の処理が実行される。ここでこの課金の処理が正しく実行された場合、この音楽提供システム１では、対応する鍵データＫＹがＷｅｂサーバー４よりパーソナルコンピュータ３にダウンロードされ、この鍵データＫＹによりユーザーの選択した曲の暗号化が解除されてパーソナルコンピュータ３のハードディスク装置にダウンロードされる。これによりユーザーにおいては、この曲をいつでも試聴することができる。
【００５０】
（３）実施の形態の効果
以上の構成によれば、コンパクトディスクに記録されたアドレスに従って所定のサーバーをアクセスし、このサーバーより鍵データを発行してコンパクトディスクに記録されたデータの暗号化を解除することにより、例えばコンサート会場等で試聴して気に入った曲を改めて簡易かつ確実に試聴することができる。
【００５１】
このときサーバーとコンパクトディスク２に対応するページとを特定するＵＲＬによりアクセスすることにより、簡易に所望する曲を選択することができる。
【００５２】
また曲を単位にしたファイル単位で暗号化することにより、所望する曲だけを選択的に購入することができる。
【００５３】
（４）他の実施の形態
なお上述の実施の形態においては、暗号化を解除した曲データをハードディスク装置にダウンロードして保持する場合について述べたが、本発明はこれに限らず、試聴する毎に暗号化を解除するようにしもよい。なおこの場合、ハードディスク装置に暗号化された曲データを保持するようにしてもよく、また試聴する都度、コンパクトディスク２に保持した曲データを再生して暗号化を解除するようにしてもよい。
【００５４】
また上述の実施の形態においては、暗号化を解除するプログラムをコンパクトディスクに記録する場合について述べたが、本発明はこれに限らず、鍵データと共にダウンロードするようにしてもよい。
【００５５】
また上述の実施の形態においては、単に鍵データをダウンロードする場合について述べたが、本発明はこれに限らず、この鍵データを暗号化して提供するようにし、パーソナルコンピュータ３側でこの暗号化を解除して使用するようにしてもよい。
【００５６】
また上述の実施の形態においては、１つのファイルである曲単位で曲データを暗号化する場合について述べたが、本発明はこれに限らず、複数曲を単位にして、すなわち複数ファイルを単位にして曲データを暗号化するようにしてもよい。
【００５８】
また上述の実施の形態においては、情報記録媒体としてコンパクトディスクを用いて音楽を提供する場合について述べたが、本発明はこれに限らず、種々の光ディスク、メモリを搭載したカード形状の記録媒体であるメモリカード等、種々の情報記録媒体により種々のデータを提供する場合に広く適用することができる。
【００５９】
また上述の実施の形態においては、音楽を提供する場合について述べたが、本発明はこれに限らず、種々のアプリケーションプログラムを提供する場合、データベースのデータ等を提供する場合等にも広く適用することができる。なおこの場合、複数ファイルを単位にしてなるディレクトリーを単位にしてアプリケーションプログラムのデータを暗号化することが考えられる。
【００６０】
また上述の実施の形態においては、各曲データを特定する識別データとして曲番号データを記録する場合について述べたが、本発明はこれに限らず、ファイル名、ディレクトリ名（ホルダー名）を識別データに使用するようにしても良い。
【００６１】
【発明の効果】
上述のように本発明によれば、情報記録媒体に記録されたアドレスに従って所定のサーバーをアクセスし、このサーバーより鍵データを発行して情報記録媒体に記録されたデータの暗号化を解除することにより、例えばコンサート会場等で試聴して気に入った曲を改めて簡易かつ確実に試聴することができる。
【図面の簡単な説明】
【図１】本発明の実施の形態に係る音楽提供システムを示すブロック図である。
【図２】図１の音楽提供システム１におけるコンパクトディスク２の内容を示す図表である。
【図３】図１の音楽提供システム１におけるデータベースに記録されるディスクデータの内容を示す図表である。
【図４】図３のディスクデータにより構成されるコンサート一覧の表示を示す平面図である。
【図５】図３のディスクデータにより構成される曲名一覧の表示を示す平面図である。
【図６】図１のパーソナルコンピュータの処理手順を示すフローチャートである。
【図７】図６の続きの処理手順を示すフローチャートである。
【符号の説明】
１……音楽提供システム、２……コンパクトディスク、３……パーソナルコンピュータ、４……Ｗｅｂサーバー、６……データベース
【図１】
0004032203.tif 000002
【図２】
0004032203.tif 000003
【図３】
0004032203.tif 000004
【図４】
0004032203.tif 000005
【図５】
0004032203.tif 000006
【図６】
0004032203.tif 000007
【図７】
0004032203.tif 000008